(57)【要約】　　　（修正有）【課題】筐体側に予め固定設置されている表示機能付き機器の表示部を、扉の覗き窓に対して正しい位置に取り付けするのに好適な覗き窓構造を提供する。【解決手段】扉３６の裏面３６ａに凸状の透明体４８とこの透明体４８の押さえ板５０を設置するにあたり、扉３６に略矩形状の第１の覗き窓４０を設けるとともに、押さえ板５０に長孔５６を形成し、ネジ部材６０を長孔５６内で移動させることにより、上下方向の位置を調整するとともに、透明体４８を押さえ板５０の第２の覗き窓５４に対し水平方向に移動可能としたことにより、透明体４８を上下左右方向に移動可能とした。【選択図】　図４
2004071598.tif 000002
【特許請求の範囲】
【請求項１】
筐体の内方に固定設置された機器の文字表示を外方から視認するために構成される覗き窓構造であって、
前記筐体に設置される扉に、略矩形状の第１の覗き窓を設けるとともに、この第１の覗き窓の両側に、一対のネジ挿入孔を形成する一方、
前記扉の筐体内方側に、略矩形状の第２の覗き窓を有しその両側に上下方向に長い一対の長孔を形成した押さえ板を配設し、
さらに、前記扉と前記押さえ板との間に、前記押さえ板の第２の覗き窓に凸部分が左右方向にスライド自在に収納される略凸状の透明体を配設し、
前記扉に形成された一対のネジ挿入孔から前記押さえ板に形成された一対の長孔に向かってネジ部材を挿通し、前記透明体の凸部分を前記第２の覗き窓に沿って左右方向にスライドさせることにより、前記扉に対する前記透明体の左右方向への位置を調整するとともに、
前記ネジ部材を中心に前記押さえ板の長孔に沿って前記押さえ板を上下方向に移動させることにより、前記透明体の前記扉に対する上下方向への位置を調整するようにしたことを特徴とする覗き窓構造。
【請求項２】
前記透明体の外周部には、着色による枠が形成されていることを特徴とする請求項１に記載の覗き窓構造。
【発明の詳細な説明】
【０００１】
【発明の属する技術分野】
本発明は、空調設備の制御盤のように、内方に表示機能付き機器が組み込まれることにより、外部に情報の表示を行うことのできるシステム用機器における覗き窓構造に関する。
【０００２】
【従来の技術】
空調等の自動制御を行うシステム用機器では、例えば、制御盤を構成する筐体の内方に、表示機能を備えた温度スイッチなどが組み込まれている。
図７は、このような表示機能付き機器が組み込まれたシステム用機器として、外部に温度を表示することのできる制御盤を示したものである。
【０００３】
この制御盤２は、略矩形状の筐体４の前面パネル６に、蝶番等のヒンジ８により扉１０が開閉自在に設けられている。そして、この扉１０を前面パネル６側から開くことにより、内部の調整つまみなどを操作することが可能にされている。一方、この扉１０を開いた筐体４の内方には、温度を文字として表示することのできる温度スイッチ１２が設けられている。そして、この温度スイッチ１２の表示を、扉１０が閉じられた場合であっても、外方から認識できるように、筐体４の扉１０に覗き窓１４が設けられている。そして、この扉１０の外方から温度スイッチ１２の表示を認識することが可能にされている。
【０００４】
【発明が解決しようとする課題】
ところで、このような従来の覗き窓構造では、表示機能を備えた温度スイッチ１２は、筐体４内の台座などに固定設置されている。そのため、従来は、温度スイッチ１２が、例えば、この台座に適正に取り付けられていないと、扉１０を閉じた場合に、温度スイッチ１２の表示が覗き窓１４の枠から少しずれてしまい、本来なら覗き窓１４の中央に位置する表示が一方に偏ってしまい、ずれた分だけ片方の隙間が広くなるため、美観的に好ましくない。また、使用者に違和感を感じさせていた。
【０００５】
このような不具合を改善する場合には、表示機能付きの温度スイッチ１２を、筐体４の台座から一旦取り外すとともに、再度台座に取り付けなければならなかい。
しかしながら、台座およびその周辺には、多数の部品が組み込まれているため、手が入り難く、位置調整作業が煩雑で、取り付け位置を調整することは手間である。
【０００６】
本発明は、このような実状に鑑み、筐体側に予め固定設置されている表示機能付き機器が、扉に設けられた覗き窓に対して正しい位置に取り付けされていない場合であっても、外方から見た場合の違和感を少なくすることができ、美観的にも好適な覗き窓構造を提供することを目的としている。
【０００７】
【課題を解決するための手段】
上記目的を達成するための本発明は、
筐体の内方に固定設置された機器の文字表示を外方から視認するために構成される覗き窓構造であって、
前記筐体に設置される扉に、略矩形状の第１の覗き窓を設けるとともに、この第１の覗き窓の両側に、一対のネジ挿入孔を形成する一方、
前記扉の筐体内方側に、略矩形状の第２の覗き窓を有しその両側に上下方向に長い一対の長孔を形成した押さえ板を配設し、
さらに、前記扉と前記押さえ板との間に、前記押さえ板の第２の覗き窓に凸部分が左右方向にスライド自在に収納される略凸状の透明体を配設し、
前記扉に形成された一対のネジ挿入孔から前記押さえ板に形成された一対の長孔に向かってネジ部材を挿通し、前記透明体の凸部分を前記第２の覗き窓に沿って左右方向にスライドさせることにより、前記扉に対する前記透明体の左右方向への位置を調整するとともに、
前記ネジ部材を中心に前記押さえ板の長孔に沿って前記押さえ板を上下方向に移動させることにより、前記透明体の前記扉に対する上下方向への位置を調整するようにしたことを特徴としている。
【０００８】
このような本発明によれば、表示機能付きの機器がパネルの覗き窓の中央位置からずれているとしても、機器を筐体側から取り外して位置調整しなくても、開閉自在な扉側だけの作業で、その位置ずれを目立たなくすることができる。
ここで、前記透明体の外周部には、着色による枠が形成されていることが好ましい。
【０００９】
このような構成であれば、外周部の枠の中に文字表示を配置することができるので、位置ずれが生じている場合であっても、文字による表示をあたかも覗き窓の中心にあるかのように配置することができる。
【００１０】
【発明の実施の形態】
以下、図面を参照しながら本発明の一実施例について説明する。
図１および図２は本発明の一実施例に係る覗き窓構造を示したものである。
この覗き窓構造は、例えば、図７に示した従来の場合と同様に、空調設備の温度制御を行うために金属板から形成された制御盤３０の扉３６に構成されている。
【００１１】
すなわち、この制御盤３０には、筐体３２の前面パネル３４に、略矩形状の扉３６がヒンジ３８により開閉自在に取付られている。そして、この扉３６に、本実施例による覗き窓構造が構成されている。
扉３６には、略矩形状に形成された第１の覗き窓４０が形成されている。そして、この覗き窓４０の内方に表示機能付きの温度スイッチなどの機器４２が台座４６などに取り付けられている。
【００１２】
したがって、扉３６の正面側から、矢印Ａ方向に筐体３２内を見れば、扉３６の第１の覗き窓４０を介して、機器４２からの文字表示すなわち温度スイッチ４２からの検知温度を視認することができる。
ところで、この制御盤３０では、前面パネル３４の扉３６に、その表示を第１の覗き窓４０の適正位置に配置できるように、図３に示したような覗き窓構造が構成されている。図３は、パネルの内方から見た図である。
【００１３】
すなわち、扉３６の内方側には、アクリル樹脂などから形成された断面略凸状の透明体４８と、この透明体４８を押えるための金属製の押さえ板５０が設置されている。
扉３６には、押さえ板５０をネジ部材６０で固定するために、第１の覗き窓４０の両側に、一対のネジ挿入孔５２，５２が形成されている。このネジ挿入孔５２は、略丸形に形成されている。
【００１４】
一方、押さえ板５０には、上記扉３６に対応して、第２の覗き窓５４が形成されている。この第２の覗き窓５４の両側には、上下方向に延びる一対の長孔５６，５６が形成されている。そして、この第２の覗き窓５４の縦横の長さＢ，Ｃは、扉３６の縦横の長さＳ，Ｔおよび透明体４８の左右方向の長さＸ，Ｙよりも、それぞれ大きく形成されている。また、押さえ板５０の第２の覗き窓５４の左右方向の長さＣは、透明体４８の左右方向の長さＹよりも若干大きく形成されている。また、第２の覗き窓５４の縦方向の長さＢは、透明体４８の縦方向の長さＸよりも狭く形成され、かつ凸部４８ｃの長さＺよりも若干大きく形成されている。
【００１５】
したがって、このような押さえ板５０の第２の覗き窓５４内に、透明体４８の凸部４８ｃを挿入すれば、透明体４８の上下のフランジ部４８ａ，４８ｂが押さえ板５０の第２の覗き窓５４の枠外縁部に係止されることになる。
以下に、透明体４８と押さえ板５０の扉３６に対する取り付けについて説明する。
【００１６】
先ず、透明体４８の凸部４８ｃを、押さえ板５０の第２の覗き窓５４内に収容する。このとき、透明体４８の上下のフランジ部４８ａ，４８ｂが第２の覗き窓５４の枠外縁部に当接して支持される。
このように透明体４８を押さえ板５０の第２の覗き窓５４内に組み込んでから、これらユニット化された一体の透明体４８および押さえ板５０を扉３６の裏面３６ａに当接させる。その後、図４に示したように、扉３６の表面３６ｂ（外側面）からネジ部材６０，６０を扉３６のネジ挿入孔５２，５２内に挿入し、さらにネジ部材６０の先端部を第２の押さえ板５０の長孔５６，５６内に挿入し、さらに、その先端にナット部材６４を軽く螺合すれば、扉３６に対し透明体４８と押さえ板５０とを仮止めし一体化することができる。
【００１７】
なお、ここで使用するナット部材６４は、フランジ付きナットであることが好ましい。
そして、押さえ板５０、透明体４８が取り付けられた扉３６を、図１に示した筐体３２に対して閉じた状態にすれば、図５に示したように、筐体３２内に収容されている機器の表示部を、前面パネル３４の外方から視認することができる。また、扉３６を閉じた状態にしてから、「入」、「切」などのボタン郡６４を扉３６を開けずに、外方から操作することも可能である。
【００１８】
一方、図５の状態とは異なり、扉３６の第１の覗き窓４０に対し、透明体４８と押さえ板５０とが正しく位置合わせされていないとする。このような場合は、以下のようにしてその位置ずれを目立たなくすることができる。なお、図６は、扉３６の裏面３６ａ側から見た図である。
すなわち、本実施例では、筐体３２側には手を触れずに扉３６側だけで位置調整の不具合を調整することができる。すなわち、押さえ板５０を、扉３６の第１の覗き窓４０に対して上下方向に調整するには、先ず、ネジ部材６０を若干緩めた状態から、ネジ部材６０を長孔５６内で移動させれば、押さえ板５０を第１の覗き窓４０に対して、相対的に上下方向に移動させることができる。これにより、透明体４８を第１の覗き窓４０に対して上下方向に調整することができる。
【００１９】
一方、押さえ板５０の第２の覗き窓５４と透明体４８との左右端部の隙間Ｐ，Ｑを左右略均等になるようにずらせば、透明体４８を扉３６の第１の覗き窓４０に対して、左右方向に位置を調整することができる。
したがって、本実施例によれば、第１の覗き窓４０の適正位置に透明体４８ならびに押さえ板５０を配置することができる。
【００２０】
なお、透明体４８のフランジ部４８ａ，４８ｂを含む外周部分（図６における八チングの部分）を黒色などで額縁状に色塗りしておけば、第１の覗き窓４０ならびに第２の覗き窓５４などの境界部分を外方から目立たなくすることができるとともに、この着色された枠内に、文字を表示できるので、美観的に良好になる。
【００２１】
このように本実施例では、従来の構造のように、筐体３２内の台座などから表示機能付きの機器４２を取り外して位置調整をしなくても、扉３６側だけの作業でその位置ずれによる不具合を目立たなくすることが可能になる。
よって本実施例では、第１の覗き窓４０に透明体４８を適正位置に配置することができる。
【００２２】
以上、本発明の一実施例について説明したが、本発明は上記実施例に何ら限定されない。例えば、上記実施例では、機器として表示機能付きの温度スイッチを例にして説明したが、機器はこれに限定されず、表示機能付きの圧力スイッチなどにも適用可能である。また、上記実施例では、透明体４８の外周部に例えば、黒の着色領域を形成したが、このような色塗りは必ずしも必要ではない。
【００２３】
【発明の効果】
以上説明したように、本発明による覗き窓構造によれば、扉側に取り付けられた部材だけの操作で押さえ板および透明体を上下左右方向に移動させることができる。したがって、位置ずれが生じている場合に行う作業を容易に行なうことができる。また、これにより、透明体の略中心部に電子部材からの文字表示を配置することが可能となるため、位置ずれによる違和感を使用者に感じさせることが少なくなる。
【００２４】
さらに、透明体の外周部を、枠状に着色すれば、この枠内に文字が配置されのようになるので、位置ずれが生じている場合であっても、その位置ずれを一層目立たなくすることができる。
【図面の簡単な説明】
【図１】図１は本発明の一実施例による覗き窓構造が採用された制御盤を示した斜視図である。
【図２】図２は図１の側断面図である。
【図３】図３は図１の制御盤に構成された覗き窓構造の分解斜視図である。
【図４】図４は図１における覗き窓構造の水平方向の断面図である。
【図５】図５は図１に示した制御盤を扉の外方からみたときの正面図である。
【図６】図６は図１に示した制御盤を扉の内側から見たときの正面図である。
【図７】図７は従来の覗き窓構造を備えた筐体の斜視図である。
【符号の説明】
３０　　　制御盤
３２　　　筐体
３４　　　前面パネル
３６　　　扉
４０　　　第１の覗き窓
４２　　　機器（温度スイッチ）
４８ｃ　　凸部
４８　　　透明体
５０　　　押さえ板
５２　　　ネジ挿入孔
５４　　　第２の覗き窓
５６　　　長孔
６０　　　ネジ部材
【図１】
2004071598.tif 000003
【図２】
2004071598.tif 000004
【図３】
2004071598.tif 000005
【図４】
2004071598.tif 000006
【図５】
2004071598.tif 000007
【図６】
2004071598.tif 000008
【図７】
2004071598.tif 000009